(57)【要約】      （修正有）【課題】リーフの停止位置の制限がなく、回転防止の部品も不要な、取り扱いが容易な反転表示器を提供する。【解決手段】コ字状のベース体の一方のベース板の先端部側に固定された軸に回転可能に取付けられた歯車と、この歯車の軸と対応するコ字状のベース体の他方のベース板に回転可能に取付けられた回転体と、この回転体および歯車に等間隔で回転可能に両端部が取付けられた反転表示が可能な複数個のリーフと、一方のベース板に取付けられた歯車を回転させる駆動歯車を備えたモータと、歯車と複数個のリーフとの間の軸に固定された外周部の一部に歯が形成された固定ギヤ、この固定ギヤ側の複数個のリーフの軸に固定された、該固定ギヤの歯と噛み合い、該リーフを１８０度回転させることのできる歯部および固定ギヤの歯との噛み合いが解消すると固定ギヤの外周部に沿って回転不能にガイドするガイド部を有する。【選択図】図２
2010026357.tif 000002
【特許請求の範囲】
【請求項１】
コ字状のベース体と、このコ字状のベース体の一方のベース板の先端部側に固定された軸に回転可能に取付けられた歯車と、この歯車の軸と対応する部位の前記コ字状のベース体の他方のベース板に回転可能に取付けられた回転体と、この回転体および前記歯車に等間隔で回転可能に両端部が取付けられた反転表示が可能な複数個のリーフと、前記一方のベース板に取付けられた前記歯車を回転させる駆動歯車を備えたモータと、前記歯車と前記複数個のリーフとの間の前記軸に固定された外周部の一部に歯が形成された固定ギヤ、この固定ギヤ側の前記複数個のリーフの軸に固定された、該固定ギヤの歯と噛み合い、該リーフを１８０度回転させることのできる歯部および固定ギヤの歯との噛み合いが解消すると固定ギヤの外周部に沿って回転不能にガイドするがガイド部を有するリーフ回転ギヤとからなるランダウンギヤ反転機構を備えたことを特徴とする反転表示器。
【請求項２】
複数個のリーフ間には両端部が歯車および回転体に固定されたマスクが取付けられていることを特徴とする請求項１記載の反転表示器。
【発明の詳細な説明】
【技術分野】
【０００１】
本発明は反転表示が可能な複数個のリーフを用いた反転表示器に関する。
【背景技術】
【０００２】
従来、反転表示が可能な複数個のリーフを反転させるために、溝カム反転方式が用いられていたが、構造上、反転動作が不安定な箇所が存在し、モータが脱調した場合に発生する振動や、輸送中の振動など、リーフに外部からの衝撃が加えられた際に、リーフに設けられた反転ガイドのためのボスが本来の軌道を外れることにより、リーフ（ボス）の引っ掛かりを誘発し、ロック状態に陥る等の現象が発生する虞があることから、リーフを停止させる位置を制限したり、輸送時等に回転防止の部品を装着しなければならないという欠点があった。
【特許文献１】特願２００７−０８８１９３
【発明の開示】
【発明が解決しようとする課題】
【０００３】
本発明は以上のような従来の欠点に鑑み、ランダウンギヤ反転機構を用いて、複数個のリーフを反転させることにより、従来のようにロック状態に陥る箇所をなくして、リーフの停止位置の制限がなく、回転防止の部品も不要な、取り扱いが容易な反転表示器を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明はコ字状のベース体と、このコ字状のベース体の一方のベース板の先端部側に固定された軸に回転可能に取付けられた歯車と、この歯車の軸と対応する部位の前記コ字状のベース体の他方のベース板に回転可能に取付けられた回転体と、この回転体および前記歯車に等間隔で回転可能に両端部が取付けられた反転表示が可能な複数個のリーフと、前記一方のベース板に取付けられた前記歯車を回転させる駆動歯車を備えたモータと、前記歯車と前記複数個のリーフとの間の前記軸に固定された外周部の一部に歯が形成された固定ギヤ、この固定ギヤ側の前記複数個のリーフの軸に固定された、該固定ギヤの歯と噛み合い、該リーフを１８０度回転させることのできる歯部および固定ギヤの歯との噛み合いが解消すると固定ギヤの外周部に沿って回転不能にガイドするがガイド部を有するリーフ回転ギヤとからなるランダウンギヤ反転機構とで反転表示器を構成している。
【発明の効果】
【０００６】
以上の説明から明らかなように、本発明にあっては次に列挙する効果が得られる。
【０００７】
（１）コ字状のベース体と、このコ字状のベース体の一方のベース板の先端部側に固定された軸に回転可能に取付けられた歯車と、この歯車の軸と対応する部位の前記コ字状のベース体の他方のベース板に回転可能に取付けられた回転体と、この回転体および前記歯車に等間隔で回転可能に両端部が取付けられた反転表示が可能な複数個のリーフと、前記一方のベース板に取付けられた前記歯車を回転させる駆動歯車を備えたモータと、前記歯車と前記複数個のリーフとの間の前記軸に固定された外周部の一部に歯が形成された固定ギヤ、この固定ギヤ側の前記複数個のリーフの軸に固定された、該固定ギヤの歯と噛み合い、該リーフを１８０度回転させることのできる歯部および固定ギヤの歯との噛み合いが解消すると固定ギヤの外周部に沿って回転不能にガイドするがガイド部を有するリーフ回転ギヤとからなるランダウンギヤ反転機構とで構成されているので、複数個のリーフをランダウンギヤ反転機構の固定ギヤの歯とリーフ回転ギヤの歯部との噛み合いによってリーフを１８０度回転させ、その他の固定ギヤの歯のない外周部とリーフ回転ギヤのガイド部とが位置すると、リーフを回動不能に位置させることができる。
したがって、リーフがどの位置であっても、従来のようにロック状態に陥る箇所がなく、動作不良となるのを確実に防止することができる。
【０００８】
（２）前記（１）によって、リーフの停止位置を制限する必要がなく、回転防止の部品も不要となるので、取り扱いが容易でコストの低減を図ることができる。
【０００９】
（３）前記（１）によって、複数個のリーフの両端部が一方のベース板に取付けられた歯車、他方のベース板に取付けられた回転体に取付けられているので、回転軸との干渉を防止でき、リーフの軸心方向の長さを自由に設定することができる。
【００１０】
（４）請求項２も前記（１）〜（３）と同様な効果が得られるとともに、リーフ間に位置するマスクによって、リーフ間の隙間を隠すことができる。
したがって、きれいにリーフを見せることができる。
【発明を実施するための最良の形態】
【００１１】
以下、図面に示す本発明を実施するための最良の形態により、本発明を詳細に説明する。
【００１２】
図１ないし図１０に示す本発明を実施するための最良の第１の形態において、１は本発明の反転表示器で、この反転表示器１は先端部が半円弧形状に形成されたコ字状のベース体２と、このコ字状のベース体２の一方のベース板３の先端部の内側面に形成された歯車収納凹部４の中央部に固定された内側へ突出する軸５に回転可能に取付けられた歯車６と、この歯車６の軸５と対応する部位の、前記コ字状のベース体２の他方のベース板７の先端部の内側に形成された回転体収納凹部８の中央部に固定された軸９に回転可能に取付けられた回転体１０と、この回転体１０および前記歯車６に等間隔で形成された軸孔１１、１１、１１、１２、１２、１２に回転可能に支持された支持軸１３、１３、１３、１４、１４、１４が両端部の中央部に形成された反転表示が可能な両面が弧状の複数個、本実施の形態では３個のリーフ１５、１５、１５と、前記一方のベース板３の反先端部側の内面に駆動軸１６が外側の基板収納凹部１７内へ突出するように取付けられたモータ１８と、このモータ１８の駆動軸１６に固定された、前記一方のベース板３の外側に位置し、透孔２０を介して前記歯車６と噛み合う駆動歯車２１と、前記リーフ１５、１５、１５の間に位置する両端部が前記歯車６に外方へ突出するように形成されたマスク支持部２２、２２、２２および、前記回転体１０に外方へ突出するように形成されたマスク支持部２３、２３、２３に固定されたリーフ１５、１５、１５の回転を妨げることのないマスク２４、２４、２４と、前記歯車６と前記リーフ１５、１５、１５との間に設けられたリーフ１５、１５、１５が所定位置へ回転移動したところで、該リーフ１５、１５、１５を１８０度回転させるランダウンギヤ反転機構２５と、前記一方のベース板３の外側の基板収納凹部１７を覆うように取付けられる基板２６とで構成されている。
【００１３】
前記ランダウンギヤ反転機構２５は前記歯車６とリーフ１５、１５、１５との間の、前記軸５に固定された外周部の一部に５個の歯２７、２７、２７、２７、２７が形成され、該歯２７、２７、２７、２７、２７を除く上部外周部がフランジ２８が形成された固定ギヤ２９と、この固定ギヤ２９側の前記リーフ１５、１５、１５の支持軸１３、１３、１３に固定された、該固定ギヤ２９の歯２７、２７、２７、２７、２７と噛み合い、該リーフ１５、１５、１５を１８０度回転させることのできる外周部に等間隔で１２個、そのうちの４個は上部に等間隔で配置された上部歯車３０、３０、３０、３０、残りの８個は下部に前記上部歯車３０、３０、３０、３０間に等間隔に配置された下部歯車３１、３１、３１、３１、３１、３１、３１、３１および前記固定ギヤ２９の歯２７、２７、２７、２７、２７との噛み合いが解消すると固定ギヤ２９の外周部のフランジ２８に沿って、リーフ１５、１５、１５を回転不能にガイドする、前記上部歯部３０、３０、３０、３０との間に形成された固定ギヤ２９の外周部のフランジ２８が入り込む円弧形状に形成されたガイド部３２、３２、３２、３２とからなるリーフ回転ギヤ３３、３３、３３とで構成されている。
【００１４】
上記構成の反転表示器１はモータ１８の駆動によって駆動歯車２１が回転し、この駆動歯車２１と噛み合っている歯車６が回転する。この歯車６の回転によりリーフ１５、１５、１５、マスク２４、２４、２４、および回転体１０が回転する。
この時、ランダウンギヤ反転機構２５の固定ギヤ２９の歯２７、２７、２７、２７、２７とリーフ回転ギヤ３３、３３、３３の上部歯部３０、３０、３０、３０と下部歯部３１、３１、３１、３１、３１、３１、３１、３１とが噛み合っている部分のリーフ１５が噛み合い初めから終わる間に１８０度回転し、その他の回動部位では固定ギヤ２９の外周部のフランジ２８に、リーフ回転ギヤ３３、３３、３３の上部歯部３０、３０、３０、３０とガイド部３２、３２、３２、３２によって、回転不能状態で回動される。
このため、固定ギヤ２９の歯２７、２７、２７、２７、２７と噛み合うリーフ回転ギヤ３３、３３、３３によって、その部分でだけリーフ１５、１５、１５が１８０度回転し、表示面を変えることができる。
[発明を実施するための異なる形態]
【００１５】
次に、図１１ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図１１ないし図１３に示す本発明を実施するための第２の形態において、前記本発明を実施するための最良の第１の形態と主に異なる点は、４個のリーフ１５、１５、１５、１５を歯車６と回転体１０とに取付けた点で、このように構成した反転表示器１Ａにしても、前記本発明を実施するための最良の第１の形態と同様な作用効果が得られる。
【００１７】
図１４ないし図１６に示す本発明を実施するための第３の形態において、前記本発明を実施するための最良の第１の形態と主に異なる点は、マスクを使用することなく、５個のリーフ１５、１５、１５、１５、１５を歯車６と回転体１０とに取付けた点で、このように構成した反転表示器１Ｂにしても、前記本発明を実施するための最良の第１の形態と同様な作用効果が得られる。
【産業上の利用可能性】
【００１８】
本発明は反転表示器を製造する産業で利用される。
【図面の簡単な説明】
【００１９】
【図１】本発明を実施するための最良の第１の形態の斜視図。
【図２】本発明を実施するための最良の第１の形態の分解斜視図。
【図３】図１の３−３線に沿う断面図。
【図４】本発明を実施するための最良の第１の形態の歯車の説明図。
【図５】本発明を実施するための最良の第１の形態の回転体の説明図。
【図６】本発明を実施するための最良の第１の形態のリーフ回転ギヤが取付けられたリーフの説明図。
【図７】本発明を実施するための最良の第１の形態の固定ギヤの説明図。
【図８】本発明を実施するための最良の第１の形態のリーフ回転ギヤの説明図。
【図９】本発明を実施するための最良の第１の形態のリーフが１８０度回転する状態の説明図。
【図１０】リーフが１８０度回転する状態のランダウンギヤ反転機構の説明図。
【図１１】本発明を実施するための第２の形態の斜視図。
【図１２】本発明を実施するための第２の形態の分解斜視図。
【図１３】図１１の１３−１３線に沿う断面図。
【図１４】本発明を実施するための第３の形態の斜視図。
【図１５】本発明を実施するための第３の形態の分解斜視図。
【図１６】図１４の１６−１６線に沿う断面図。
【符号の説明】
【００２０】
１、１Ａ、１Ｂ：反転表示器、  ２：ベース体、
３：一方のベース板、          ４：歯車収納凹部、
５：軸、                      ６：歯車、
７：他方のベース板、          ８：回転体収納凹部、
９：軸、                      １０：回転体、
１１、１２：軸孔、            １３、１４：支持軸、
１５：リーフ、                １６：駆動軸、
１７：基板収納凹部、          １８：モータ、
２０：透孔、
２１：駆動歯車、              ２２：マスク支持部、
２３：マスク支持部、          ２４：マスク、
２５：ランダウンギヤ反転機構、２６：基板、
２７：歯、                    ２８：フランジ、
２９：固定ギヤ、              ３０：上部歯部、
３１：下部歯部、              ３２：ガイド部、
３３：リーフ回転ギヤ。
【図１】
2010026357.tif 000003
【図２】
2010026357.tif 000004
【図３】
2010026357.tif 000005
【図４】
2010026357.tif 000006
【図５】
2010026357.tif 000007
【図６】
2010026357.tif 000008
【図７】
2010026357.tif 000009
【図８】
2010026357.tif 000010
【図９】
2010026357.tif 000011
【図１０】
2010026357.tif 000012
【図１１】
2010026357.tif 000013
【図１２】
2010026357.tif 000014
【図１３】
2010026357.tif 000015
【図１４】
2010026357.tif 000016
【図１５】
2010026357.tif 000017
【図１６】
2010026357.tif 000018